(57)【要約】      （修正有）【課題】学習者の指定された用語に対して確認問題を作成し、またこの学習者の判断を他の学習者の傾向に基づいて支援し、さらに誤解答の問題に対するフォローを行うことにより学習者の効率良い学習を支援する学習支援装置を提供する。【解決手段】教本及び問題を表示する表示手段１と、利用者１００の入力情報を受付けて各機能部への振り分け制御及び記憶演算を行う入力情報制御演算手段２と、この入力情報により教本に含まれる構成要素の選択を行う選択手段３と、この選択手段３にて選択された構成要素に基づいてこの教本にマスク及び／又はブランクを作成し、問題を作成する問題作成手段４と、この利用者１００による問題の解答に対して正誤判断を行い、この正誤判断により誤解答と判断された構成要素を対象としてこの教本にマスク及び／又はブランクを作成し、この問題を更新する問題更新手段５とから構成され、効率良い学習を支援する。【選択図】図１
2009216816.tif 000002
【特許請求の範囲】
【請求項１】
用語、解説文及び数式のいずれかを含む解説内容の構成要素から構成される教本を利用して利用者の学習を支援する学習支援装置において、
前記利用者に使用される前記教本を前記利用者に表示する表示手段と、
前記利用者の指定により前記構成要素の選択を行う選択手段と、
前記選択手段にて選択された前記構成要素に基づいて前記教本にマスク及び／又はブランクを作成し、問題を作成する問題作成手段と、
前記利用者の前記問題に対する解答を受け付ける解答受信手段と、
前記解答受信手段にて受け付けた解答に対して正誤判断を行い、当該正誤判断により誤解答と判断された前記構成要素を対象として前記教本にマスク及び／又はブランクを作成し、前記問題を更新する問題更新手段とを備えることを
特徴とする学習支援装置。
【請求項２】
請求項１に記載の学習支援装置において、
前記問題作成手段が、他の１又は複数の利用者に指定された前記構成要素に基づいて前記教本にマスク及び／又はブランク及び／又は強調表示を作成することを
特徴とする学習支援装置。
【請求項３】
請求項１又は請求項２に記載の学習支援装置において、
前記問題更新手段の前記正誤判断により１又は複数の前記利用者に指定された前記構成要素を解答結果として蓄積する解答結果蓄積手段をさらに有し、
前記問題作成手段は、前記解答結果蓄積手段に蓄積された解答結果蓄積情報に基づいて、前記教本にマスク及び／又はブランク及び／又は強調表示を作成することを
特徴とする学習支援装置。
【請求項４】
請求項１ないし請求項３に記載の学習支援装置において、
前記問題作成手段が、前記教本を意味の有する最小の言語形態である形態素に分解し、当該形態素の各々に対して前記利用者の理解度を解析し、当該理解度に応じて前記教本のマスク及び／又はブランク及び／又は強調表示の範囲を変動させることを
特徴とする学習支援装置。
【請求項５】
請求項１ないし請求項４に記載の学習支援装置において、
前記問題更新手段が、前記問題に対して前記利用者の誤解答した前記構成要素に関する誤解答の内容を新たな前記問題として追加更新することを
特徴とする学習支援装置。
【請求項６】
用語、解説文及び数式のいずれかを含む解説内容の構成要素から構成される教本を利用して利用者の学習を支援する学習支援方法において、
前記利用者に使用される前記教本を前記利用者に表示する表示工程と、
前記利用者の指定により前記構成要素の選択を行う選択工程と、
前記選択工程にて選択された前記構成要素に基づいて前記教本にマスク及び／又はブランクを作成し、問題を作成する問題作成工程と、
前記利用者の前記問題に対する解答を受け付ける解答受信工程と、
前記解答受信工程にて受け付けた解答に対して正誤判断を行い、当該正誤判断により誤解答と判断された前記構成要素を対象として前記教本にマスク及び／又はブランクを作成し、前記問題を更新する問題更新工程とを備えることを
特徴とする学習支援方法。
【請求項７】
用語、解説文及び数式のいずれかを含む解説内容の構成要素から構成される教本を利用して利用者の学習を支援する学習支援プログラムにおいて、
前記利用者に使用される前記教本を前記利用者に表示する表示手段、
前記利用者の指定により前記構成要素の選択を行う選択手段、
前記選択手段にて選択された前記構成要素に基づいて前記教本にマスク及び／又はブランクを作成し、問題を作成する問題作成手段、
前記利用者の前記問題に対する解答を受け付ける解答受信手段、
前記解答受信手段にて受け付けた解答に対して正誤判断を行い、当該正誤判断により誤解答と判断された前記構成要素を対象として前記教本にマスク及び／又はブランクを作成し、前記問題を更新する問題更新手段としてコンピュータを機能させることを
特徴とする学習支援プログラム。
【発明の詳細な説明】
【技術分野】
【０００１】
本発明は、自習して教本を理解するための学習支援装置に係り、特に、利用者に指定された教本の指定箇所に関して空欄化した穴埋め問題を作成し、利用者に教本の理解度を確認可能とすることにより学習効果を高める学習支援装置に関する。
【背景技術】
【０００２】
背景技術は、特開平１１−１４３３４７号公報（第１の背景技術）、特開２０００−２６７５５３公報（第２の背景技術）、特開２００１−３１８５８３公報（第３の背景技術）、特開２００２−０６２７９２公報（第４の背景技術）、特開２００２−１３２１３５公報（第５の背景技術）に開示されるものがある。この各背景技術は、図１２、図１３、図１４、図１５、図１６に従来の学習支援装置のブロック図又はフローチャートで示される。
【０００３】
図１２における、第１の背景技術に係る学習支援装置としての、テスト出題装置は、学習者管理２１１、成績管理２１２、教材構造チャート２１３、設問選択２１４および設問提示２１５の各サブシステムをプログラムで実行するデータ処理装置２０１と、学習者の氏名、住所等の情報を記憶する学習者データ記憶部２２１、学習する各学習領域の属性、各学習領域に含まれる複数の学習要素の属性等を記憶する教材構造チャート記憶部２２２、学習者の正誤情報、学習履歴情報等を記憶する学習履歴データ記憶部２２３および設問本文、解答、解説、指導者マニュアル、設問の属性等を記憶する設問データ記憶部２２４を具有する記憶装置２０２及び入出力装置２０３、２０４とを備える構成である。
【０００４】
また、図１３における、第２の背景技術に係る学習支援装置としての、問題作成装置並びに問題作成プログラムを記録した記録媒体は、問題文を作成する文書から他の文書と関連付けされている部分を検出する検出手段Ｓ１１０，Ｓ１２０と、検出した他の文書と関連付けされている部分に空白を作成する空白作成手段Ｓ１３０と、空白を作成した部分に記載されていた文字列及びその文字列が記載されていた位置を記憶する記憶手段Ｓ１３１と、空白を作成した部分に対応した解答欄を作成する解答欄作成手段Ｓ１４０とを備える構成であり、解答欄に入力された解答と前記解答欄に対応する空白の位置に記載されていた文字列とに基づいて正誤を判断する。
【０００５】
また、図１４における、第３の背景技術に係る学習支援装置としての、学習システムは、問題または課題を学習者に提供し、当該学習者が当該問題を回答し、当該学習者へ回答結果を通知することにより学力の向上を図る学習システムであって、学習者から返却または回収された回答データを、統計処理、分類処理もしくは数値変換処理の少なくとも一つの処理を行い、得られた処理データを学習者に対し次回以降に提供される問題の内容に利用または反映させることにより、学習者の学習効率の向上を図るものである。
【０００６】
また、図１５における、第４の背景技術に係る学習支援装置としての、暗記学習システムは、テキスト、及び図から複数の領域を隠蔽指定するマスク設定手段３０１、解答領域を選択し、該解答領域から解答を設定する解答設定手段３０２、実際の隠蔽領域を決定後、該隠蔽領域を隠蔽するマスク手段３０３ａ、回答を入力する回答手段３０３ｂ、解答表示手段３０３ｃとを備える構成である。
また、図１６における、第５の背景技術に係る学習支援装置は、複数の従記憶部４０３を設けて学習する問題を主記憶部４０１から補給する問題補給手段４０２と、正解した問題を主記憶部４０１に戻して再び補給用とする再補給手段４０４と、不正解の問題を正解するまで従記憶部４０４に止める問題滞留手段４０５と、従記憶部４０３を所定の周期で選択する選択手段４０６と、従記憶部４０３に補給した問題数と主記憶部に戻された問題数との割合を演算してこの結果に基づいて学習する問題を制御する制御手段４０７を備える構成である。
【特許文献１】特開平１１−１４３３４７号公報
【特許文献２】特開２０００−２６７５５３公報
【特許文献３】特開２００１−３１８５８３公報
【特許文献４】特開２００２−０６２７９２公報
【特許文献５】特開２００２−１３２１３５公報
【発明の開示】
【発明が解決しようとする課題】
【０００７】
前記第１、第３及び第５の背景技術に係る学習支援装置は、以上のように構成されていたことから、予め一律に用意された問題を学習者が解答するため、学習者の理解度に応じて問題を作成できないため学習効率にばらつきが生じるという課題を有する。
また、前記第２及び第４の背景技術に係る学習支援装置は、以上のように構成されていたことから、学習者の理解度に応じて問題を作成することができるが、単純な正誤確認に留まっており、誤解答の問題に対するフォローが無いために学習効率の低下を生じるという課題を有する。
【０００８】
本発明は前記課題を解消するためになされたもので、学習者の判断により確認したい用語を指定して確認問題を作成し、またこの学習者の判断を他の学習者の傾向に基づいて支援し、さらに誤解答の問題に対するフォローを行うことにより学習者の効率良い学習を支援する学習支援装置を提供することを目的とする。
【課題を解決するための手段】
【０００９】
本発明に係る学習支援装置は、用語、解説文及び数式のいずれかを含む解説内容の構成要素から構成される教本を利用して利用者の学習を支援する学習支援装置において、前記利用者に使用される前記教本を前記利用者に表示する表示手段と、前記利用者の指定により前記構成要素の選択を行う選択手段と、前記選択手段にて選択された前記構成要素に基づいて前記教本にマスク及び／又はブランクを作成し、問題を作成する問題作成手段と、前記利用者の前記問題に対する解答を受け付ける解答受信手段と、前記解答受信手段にて受け付けた解答に対して正誤判断を行い、当該正誤判断により誤解答と判断された前記構成要素を対象として前記教本にマスク及び／又はブランクを作成し、前記問題を更新する問題更新手段とを備えるものである。
【００１０】
このように本発明によれば、前記利用者に使用される前記教本を前記利用者に表示する表示手段と、前記利用者の指定により前記構成要素の選択を行う選択手段と、前記選択手段にて選択された前記構成要素に基づいて前記教本にマスク及び／又はブランクを作成し、問題を作成する問題作成手段と、前記利用者の前記問題に対する解答を受け付ける解答受信手段と、前記解答受信手段にて受け付けた解答に対して正誤判断を行い、当該正誤判断により誤解答と判断された前記構成要素を対象として前記教本にマスク及び／又はブランクを作成し、前記問題を更新する問題更新手段とを備えることから、前記利用者の正解を得られるまで前記問題を繰り返し更新することとなり、前記利用者の理解できるまで反復学習を促して学習効果を高めることができる。
【００１１】
また、本発明に係る学習支援装置は必要に応じて、前記問題作成手段が、他の１又は複数の利用者に指定された前記構成要素に基づいて前記教本にマスク及び／又はブランク及び／又は強調表示を作成するものである。このように本発明によれば、前記問題作成手段が、１又は複数の前記利用者に指定された前記構成要素に基づいて前記教本にマスク及び／又はブランク及び／又は強調表示を作成することから、他の前記利用者に指定された前記構成要素に関してもマスク及び／又はブランク及び／又は強調表示を前記教本に作成することとなり、前記利用者単独では気付かない重要項目を提示することができる。
【００１２】
また、本発明に係る学習支援装置は必要に応じて、前記問題更新手段の前記正誤判断により１又は複数の前記利用者に指定された前記構成要素を解答結果として蓄積する解答結果蓄積手段をさらに有し、前記問題作成手段は、前記解答結果蓄積手段に蓄積された解答結果蓄積情報に基づいて、前記教本にマスク及び／又はブランク及び／又は強調表示を作成するものである。このように本発明によれば、前記問題更新手段の前記正誤判断により１又は複数の前記利用者に指定された前記構成要素を解答結果として蓄積する解答結果蓄積手段をさらに有し、前記問題作成手段は、前記解答結果蓄積手段に蓄積された解答結果蓄積情報に基づいて、前記教本にマスク及び／又はブランク及び／又は強調表示を作成することから、他の前記利用者の解答結果に関してもマスク及び／又はブランク及び／又は強調表示を前記教本に作成することとなり、間違いの発生しやすい傾向の重要項目を把握することができる。
【００１３】
また、本発明に係る学習支援装置は必要に応じて、前記問題作成手段が、前記教本を意味の有する最小の言語形態である形態素に分解し、当該形態素の各々に対して前記利用者の理解度を解析し、当該理解度に応じて前記教本のマスク及び／又はブランク及び／又は強調表示の範囲を変動させるものである。このように本発明によれば、前記問題作成手段が、前記教本を意味の有する最小の言語形態である形態素に分解し、当該形態素の各々に対して前記利用者の理解度を解析し、当該理解度に応じて前記教本のマスク及び／又はブランク及び／又は強調表示の範囲を変動させることから、前記利用者の正答率に応じてマスク及び／又はブランク及び／又は強調表示の範囲を変動させることとなり、前記利用者の正答率の向上に伴う当該範囲の拡大により前記問題の難易度を高めて前記利用者の理解範囲を拡大することができる。
【００１４】
また、本発明に係る学習支援装置は必要に応じて、前記問題更新手段が、前記問題に対して前記利用者の誤解答した前記構成要素に関する誤解答の内容を新たな前記問題として追加更新するものである。このように本発明によれば、前記問題更新手段が、前記問題に対して前記利用者の誤解答した前記構成要素に関する誤解答の内容を新たな前記問題として追加更新することから、前記利用者の誤解答に関して前記問題を更新することとなり、前記問題の単純な正誤確認にとどまらず前記利用者の誤解答の原因である認識相違を根本的に解消することができ、学習効果を高めることができる。
【発明を実施するための最良の形態】
【００１５】
（本発明の第１の実施形態）
以下、本発明の第１の実施形態に係る学習支援装置を、図１から図５に基づいて説明する。
この図１は本発明の第１の実施形態に係る学習支援装置の構成を示すブロック図、図２は図１に記載された学習支援装置のデータ例、図３は図１に記載された学習支援装置のフローチャート、図４は図１に記載された学習支援装置の画面遷移例、図５は図１に記載された学習支援装置の画面例を示す。
図１において、本発明の第１の実施形態に係る学習支援装置は、利用者１００に使用される前記教本及び作成された問題の表示内容を制御し、この利用者１００にこの教本及びこの問題を表示する表示手段１と、この利用者１００の問題に対する解答、その他、新たに問題を作成するための情報等からなる入力情報を受付けて各機能部への振り分け制御及び記憶演算を行う入力情報制御演算手段２と、この入力情報によりこの教本に含まれる構成要素の選択を行う選択手段３と、この選択手段３にて選択された構成要素に基づいてこの教本にマスク及び／又はブランクを作成し、問題を作成する問題作成手段４と、この利用者１００によるこの問題の解答に対して正誤判断を行い、この正誤判断により誤解答と判断された構成要素を対象としてこの教本にマスク及び／又はブランクを作成し、この問題を更新する問題更新手段５とを備える構成である。
【００１６】
また、前記表示手段１は、前記利用者１００に表示する前記教本及び前記問題の表示内容を制御する表示制御部１１と、この表示制御部１１により制御された表示内容を利用者１００に表示する表示部１２を備える構成である。また、前記入力情報制御演算手段２は、前記教本の内容を格納する教本情報２ａと、前記利用者１００に選択された用語を格納する選択情報２ｂを更新及び管理する。
また、前記問題更新手段５は、前記利用者１００による前記問題の解答に対して正誤判断を行う正誤判断部５１と、この正誤判断部５１により誤解答と判断された構成要素を対象としてこの教本にマスク及び／又はブランクを作成して前記問題を更新する問題更新部５２を備える構成である。
【００１７】
また、前記選択情報２ｂのデータ例としては、図２（ａ）に示すように、前記利用者１００を特定する利用者項目、利用者ごとに選択用語に対する採番を示す採番項目、この教本情報２ａにおける選択用語のページを示すページ項目、前記教本情報２ａにおける選択用語の場所を示す場所項目及び選択用語を示す選択用語項目から構成することができる。
【００１８】
以下、前記構成に基づく本実施形態の学習支援装置の動作について説明する。
前記入力情報制御演算手段２は、図１及び図３に示すように、前記利用者１００により入力情報を本学習支援装置に入力される（Ｓ１）。この入力情報により前記教本の出力を依頼された場合（Ｓ２）には、前記教本情報２ａに基づいて出力すべき教本内容を取得する（Ｓ３）。前記入力情報制御演算手段２は、前記表示制御部１１にこの教本内容を前記利用者１００に対して表示するように指示を行う。
前記表示部１２は、前記表示制御部１１の指示によりこの教本内容を前記利用者１００に対して表示する（Ｓ４）。前記表示部１２は、図４（ａ）に示すように、教本の文章内容を表示する。
【００１９】
前記利用者１００は、図４（ｂ）に示すように、前記Ｓ１においてこの表示された教本内容に基づいて前記利用者１００の確認したい用語である”ｅ−ｌｅａｒｎｉｎｇ”を指定して本学習支援装置に入力する。前記入力情報制御演算手段２は、図２（ｂ）に示すように、前記利用者１００の利用者項目に利用者名称Ａ、採番項目に１、ページ項目に１．２、場所に２行目２桁目、選択用語項目に”ｅ−ｌｅａｒｎｉｎｇ”を設定して前記選択情報２ｂに登録する。
【００２０】
前記選択手段３は、図１及び図３に示すように、前記選択情報２ｂに登録された前記利用者１００の用語指定（Ｓ５）に基づいて用語の選択を行う。前記問題作成手段４は、前記選択手段３で選択された前記用語に基づいて教本にブランクを作成して問題を作成し（Ｓ６）、この問題内容を前記利用者１００に対して表示するように前記表示制御部１１に指示を行う。
前記表示部１２は、前記Ｓ４において前記表示制御部１１の指示によりこの問題内容を前記利用者１００に対して表示する。前記表示部１２は、図４（ｃ）に示すように、この問題内容を表示する。前記利用者１００は、図４（ｄ）に示すように、前記Ｓ１において表示された問題内容に対して前記利用者１００の解答した用語である”ｃｂｔ”を指定して本学習支援装置に入力する。
【００２１】
前記正誤判断部５１は、図１及び図３に示すように、前記入力情報制御演算手段２に入力された前記利用者１００の解答（Ｓ７）に基づいて正誤判断を行う。前記正誤判断部５１は、前記用語に基づいて正誤判断を行う（Ｓ８）。前記問題更新部５２は、この正誤判断により誤解答と判断された用語のみを対象として教本にブランクを作成して問題を更新し（Ｓ９）、この更新された問題内容を前記利用者１００に対して表示するように前記表示制御部１１に指示を行う。
前記表示部１２は、前記Ｓ４において前記表示制御部１１の指示によりこの問題内容を前記利用者１００に対して表示する。前記表示部１２は、図４（ｅ）に示すように、前記利用者１００の解答結果を表示してもよい。この後、前記表示部１２は、前記図４（ｃ）に示すように、前記利用者１００に対して誤解答の場合にはこの誤解答に関する問題を再度表示する。
【００２２】
前記利用者１００は、前記Ｓ１においてこの表示された問題内容に対する解答を指定して本学習支援装置に入力し、誤解答のなくなるまで前記Ｓ７以降を繰り返す。前記利用者１００は、誤解答のなくなるまで問題を解答することとなり、この問題解答の繰り返しにより弱点部分の補強を行うことができ、学習効率を高めることができる。また、前記Ｓ７で問題解答に該当しない入力情報の場合には、入力情報を不適切と判断して再度、前記Ｓ１に戻り、前記利用者１００の再入力を促す処理の流れとすることもできる。
【００２３】
なお、前記選択手段３は、前記Ｓ５において、前記選択情報２ｂに基づいてさらに他の利用者１００の用語指定に基づいて用語の選択を追加で行うこともできる。例えば、前記選択手段３は、前記図２（ｂ）に示すように、利用者名称Ｂの前記利用者１００により選択された”ｗｅｂ”を利用者名称Ａの前記利用者１００の選択用語として追加することができる。この選択追加により、他の前記利用者に指定された用語に関してもブランクを前記教本に作成することとなり、前記利用者１００単独では気付かない重要項目を前記利用者１００に提示することができる。
【００２４】
なお、前記問題更新部５２は、前記Ｓ９において、この正誤判断により誤解答と判断された用語に関する誤解答の内容を新たな問題として追加更新することもできる。この追加更新により、誤解答に関して問題を更新することとなり、問題の単純な正誤確認にとどまらず前記利用者１００の誤解答の原因である認識相違を根本的に解消することができ、学習効果を高めることができる。
また、前記表示制御部１１は、前記Ｓ９の前記問題更新部５２による表示指示において、前記利用者１００により新規に用語選択を行うか継続して誤解答に関する確認問題を解答するかの選択を確認することもできる。この場合、前記表示部１２は、図５（ａ）に示すように、選択画面を前記利用者１００に表示することもできる。
【００２５】
前記表示部１２は、図５（ｂ）に示すように、前記利用者１００により新規に用語選択を行われる場合には、教本の表示を行うことができる。また、前記表示部１２は、図５（ｃ）に示すように、前記利用者１００により継続して誤解答に関する確認問題を解答される場合には、誤解答に関する確認問題の表示を行うことができる。
また、本実施形態に係る学習支援装置を構成する各機器のハードウエア構成は、装置全体の制御を司るＣＰＵ、このＣＰＵのワークエリアとして使用されてブートプログラム等の記憶等にも使用されるメモリ、このＣＰＵの制御により書き込まれたデータを記憶する大容量記憶装置、文書や画像等の各種データを表示するディスプレイ、この装置とＬＡＮ／ＷＡＮに接続されたネットワークのデータ送受信を司る通信装置、複数のキーを備えて押下されたキーに対応するデータを電気的信号に変換するキーボード、本体下部のボールの回転動作及び本体上部の各ボタンのＯＮ／ＯＦＦを電気的信号に変換するマウス、このキーボード及びこのマウスからの電気的信号をこの装置内部へ随時入力する入力装置及び上記各部を接続するバスからなる。
【００２６】
（本発明の第２の実施形態）
以下、本発明の第２の実施形態に係る学習支援装置を、図６から図８に基づいて説明する。
この図６は本発明の第２の実施形態に係る学習支援装置の構成を示すブロック図、図７は図６に記載された学習支援装置のフローチャート、図８は図６に記載された学習支援装置の画面例を示す。
図６において、本発明の第２の実施形態に係る学習支援装置は、前記第１の実施形態と同様に前記表示手段１、前記入力情報制御演算手段２、前記選択手段３、前記問題作成手段４及び前記問題更新手段５を備え、さらに追加で前記利用者１００の解答結果を解答結果蓄積手段として蓄積する解答結果蓄積情報２ｃを備える構成である。この解答結果蓄積情報２ｃは、前記入力情報制御演算手段２により記憶内容を制御され、前記選択情報２ｂの情報にさらに選択用語ごとの正解率を追加した情報を格納する。
【００２７】
以下、前記構成に基づく本実施形態の学習支援装置の動作について説明する。
本実施形態では、前記第１の実施形態のフローチャートに前記解答結果蓄積情報２ｃを用いた処理を追加する。前記正誤判断部５１は、図７に示すように、前記第１の実施形態に記載の図３に示すＳ８と同様に前記利用者１００の解答に対する正誤判断を行った後、この正誤判断の結果を前記解答結果蓄積情報２ｃに蓄積する処理（Ｓ８−１）を追加する。  この後、前記第１の実施形態の図３に示すＳ９と同様に問題更新を行い、以降の処理も同様に継続する。
【００２８】
本学習支援装置は、このＳ８−１の処理の追加により、前記利用者１００と同様に学習している他の利用者１００の選択した用語及び正解率等の学習履歴を蓄積する前記解答結果蓄積情報２ｃに基づいて重要度の高い用語を特定できることとなり、前記利用者１００がこの重要性の高い用語を未指定の場合には、指定すべき箇所の候補として誘導表示することができる。このように、前記利用者１００は、前記利用者１００単独では気付かない重要な用語を確認することができる。
また、本学習支援装置は、他の利用者１００の正答率を考慮したブランクを教本に作成することもできる。前記利用者１００は、この作成されたブランクにより間違いの発生しやすい傾向の用語を把握して学習することができる。
例えば、前記選択手段３は、図８（ａ）に示すように、前記解答結果蓄積情報２ｃを参照して多数の前記利用者１００により登録されている選択用語の”ｗｅｂ”を抽出し、前記表示部１２により強調表示することもできる。また、前記選択手段３は、図８（ｂ）に示すように、この選択用語の”ｗｅｂ”を抽出し、前記表示部１２により問題の一部として表示することもできる。
【００２９】
また、例えば、前記選択手段３は、図８（ｃ）に示すように、前記解答結果蓄積情報２ｃを参照して多数の前記利用者１００による誤解答の多い選択用語の”ｅ−ｌｅａｒｎｉｎｇ”を抽出し、前記表示部１２によりこの用語を点滅表示等により強調表示することもできる。前記利用者１００は、この強調表示により前記利用者１００単独では気付き難い誤認識しやすい用語に気付くこととなり、前記利用者１００の漏れの少ない学習を実現することができる。
また、例えば、前記入力情報制御演算手段３は、図８（ｄ）に示すように、前記解答結果蓄積情報２ｃを参照して多数の前記利用者１００の誤解答となった選択用語を集計し、前記表示部１２により一覧表示することもできる。この一覧表示を前記利用者１００に提示される場合には、前記利用者１００は、この一覧表示により前記利用者１００全体の傾向に気付くこととなり、単独の自習と比較して学習の効率を高めることができる。また、この一覧表示を教材開発者に提示される場合には、この教材開発者は、この一覧表示により前記利用者１００が注目し且つ誤りやすい用語を分析し、より学習効率の高い教材を開発することができる。
【００３０】
（本発明の第３の実施形態）
以下、本発明の第３の実施形態に係る学習支援装置を、図９及び図１０に基づいて説明する。
この図９は本発明の第３の実施形態に係る学習支援装置のフローチャート、図１０は図９に記載された学習支援装置の画面例を示す。
本発明の第３の実施形態に係る学習支援装置は、前記第２の実施形態と同様に前記表示手段１、前記入力情報制御演算手段２、前記選択手段３、前記問題作成手段４及び前記問題更新手段５を備える構成であり、前記問題作成手段が、前記教本を意味の有する最小の言語形態である形態素に分解し、この形態素に対して前記利用者の理解度を解析し、この理解度に応じて教本のブランクの範囲を変動させる機能を追加するものである。
【００３１】
以下、前記構成に基づく本学習支援装置の動作について説明する。
前記正誤判断部５１は、図９に示すように、前記第２の実施形態に記載の図７に示すＳ８と同様に前記利用者１００の解答に対する正誤判断を行った後、この正誤判断の結果を前記形態素ごとに前記解答結果蓄積情報２ｃに蓄積する処理（Ｓ８−２）を前記Ｓ８−１の解答結果の蓄積処理に代替する。
さらに、前記正誤判断部５１は、このＳ８−２の処理後、この前記解答結果蓄積情報２ｃに基づいて形態素ごとの正答率を閾値に到達したか否かを判断する処理（Ｓ８−３）を追加する。この閾値は、例えば、正答率１００パーセントを３回、という条件として設定されることができる。
さらに、前記選択手段３は、この判断によりこの閾値に到達した場合には、教本のブランクの範囲を定める拡張基準を変更する処理（Ｓ８−４）を追加する。この後、前記問題更新部５２は、前記第２の実施形態と同様に前記Ｓ９の問題更新を行い、以降の処理も同様に継続する。
【００３２】
画面遷移の例として、前記表示部１２は、図１０に示すように、まず同図（ａ）の教本内容を表示し、前記利用者１００の用語指定により同図（ｂ）の問題を表示する。前記表示部１２は、同図（ｃ）に示すように、この問題に対して前記利用者１００により正答率１００パーセントを３回繰り返された場合、前記閾値の到達によりブランクの範囲を拡大された問題を表示する
前記表示部１２は、同図（ｄ）に示すように、この問題に対してさらに前記利用者１００により正答率１００パーセントを３回繰り返された場合、前記閾値の到達によりブランクの範囲をさらに拡大した問題を表示する。このブランクの拡大する範囲は、単語、助詞＋単語、助詞＋修飾子＋単語、助詞＋動詞、助詞＋修飾子＋単語＋動詞等の拡大基準を予め設定しておいてもよい。前記選択手段３は、この拡大基準に基づいてブランクの範囲を拡大することができる。
このブランク範囲の拡大により、問題の難易度を前記利用者１００に応じて高めることとなり、問題全文を無理なく覚えることができる。また、教材全文を段階的に覚えることもできる。また、同図（ｃ）及び（ｄ）に示すように、拡張基準を外部設定可能な拡張ダウンボタン、拡張アップボタン及び拡張クリアボタンを設置することもできる。前記利用者１００は、必要に応じてこれらのボタンにより拡張レベルの増減や無効化を行うことができる。
【００３３】
（本発明のその他の実施形態）
本発明のその他の実施形態に係る学習支援装置としては、前記第１ないし第３の実施形態と同様に構成され、この構成の表示制御部１１が学習開始時からの経過時間に応じてブランクの解答を順次追加して表示することもできる。
前記表示部１２は、図１１の画面遷移例に示すように、画面遷移の例として、まず同図（ａ）の教本内容を表示し、前記利用者１００の用語指定により同図（ｂ）の問題を表示する。前記表示部１２は、同図（ｃ）に示すように、設定した時間が経過後、最初の解答である”ｗｅｂ”を画面表示する。このように設定した時間が経過するたびに１つずつ解答を表示することにより、スムーズに学習することが可能となり、前記利用者１００の学習の集中度を高めることができる。
【００３４】
なお、上述した実施形態に係る学習支援装置は、ブランクによる問題作成としたが、この形態に限定されることは無く、複数の選択肢から解答を選ぶ選択式としても問題を作成することもできる。例えば、前記問題更新部５２は、選択用語として前記利用者１００により”ｃａｌｅｎｄａｒ”を指定された場合に、”ｃａｌｅｎｄｅｒ”や”ｃａｒｅｎｄａｒ”等と５回連続で誤答された場合には、当初ブランクされた項目を選択肢｛１．ｃａｌｅｎｄａｒ ２．ｃａｌｅｎｄｅｒ ３．ｃａｒｅｎｄａｒ｝に変換することもできる。また、前記表示部１２は、問題出力時に「ブランクを選択形式に変換しますか？」というメッセージを表示して前記利用者１００に解答形式を選択可能とすることもできる。
【００３５】
また、上述した実施形態に係る学習支援装置は、ブランクの代替としてマスクを使用して作成することもできる。また、選択部分を強調表示することもできる。この強調表示により、視覚的に教本を読み進めることができ、学習の効率を高めることができる。
また、本学習支援装置は、教本情報を格納されたＣＤ−Ｒ等の媒体を用いて前記教本情報２ａとすることもできる。本学習支援装置は、この媒体化により教本改訂時等の教本内容の変更時に柔軟に前記教本情報２ａの内容を変更することが可能となり保守性を向上させることができる。
【００３６】
（付記１）用語、解説文及び数式のいずれかを含む解説内容の構成要素から構成される教本を利用して利用者の学習を支援する学習支援装置において、前記利用者に使用される前記教本を前記利用者に表示する表示手段と、前記利用者の指定により前記構成要素の選択を行う選択手段と、前記選択手段にて選択された前記構成要素に基づいて前記教本にマスク及び／又はブランクを作成し、問題を作成する問題作成手段と、前記利用者の前記問題に対する解答を受け付ける解答受信手段と、前記解答受信手段にて受け付けた解答に対して正誤判断を行い、当該正誤判断により誤解答と判断された前記構成要素を対象として前記教本にマスク及び／又はブランクを作成し、前記問題を更新する問題更新手段とを備えることを特徴とする学習支援装置。
【００３７】
（付記２）前記問題作成手段が、他の１又は複数の利用者に指定された前記構成要素に基づいて前記教本にマスク及び／又はブランク及び／又は強調表示を作成することを特徴とする付記１に記載の学習支援装置。
【００３８】
（付記３）前記問題更新手段の前記正誤判断により１又は複数の前記利用者に指定された前記構成要素を解答結果として蓄積する解答結果蓄積手段をさらに有し、前記問題作成手段は、前記解答結果蓄積手段に蓄積された解答結果蓄積情報に基づいて、前記教本にマスク及び／又はブランク及び／又は強調表示を作成することを特徴とする付記１又は付記２に記載の学習支援装置。
【００３９】
（付記４）前記問題作成手段が、前記教本を意味の有する最小の言語形態である形態素に分解し、当該形態素の各々に対して前記利用者の理解度を解析し、当該理解度に応じて前記教本のマスク及び／又はブランク及び／又は強調表示の範囲を変動させることを特徴とする付記１ないし付記３に記載の学習支援装置。
【００４０】
（付記５）前記問題更新手段が、前記問題に対して前記利用者の誤解答した前記構成要素に関する誤解答の内容を新たな前記問題として追加更新することを特徴とする付記１ないし付記４に記載の学習支援装置。
【００４１】
（付記６）用語、解説文及び数式のいずれかを含む解説内容の構成要素から構成される教本を利用して利用者の学習を支援する学習支援方法において、前記利用者に使用される前記教本を前記利用者に表示する表示工程と、前記利用者の指定により前記構成要素の選択を行う選択工程と、前記選択工程にて選択された前記構成要素に基づいて前記教本にマスク及び／又はブランクを作成し、問題を作成する問題作成工程と、前記利用者の前記問題に対する解答を受け付ける解答受信工程と、前記解答受信工程にて受け付けた解答に対して正誤判断を行い、当該正誤判断により誤解答と判断された前記構成要素を対象として前記教本にマスク及び／又はブランクを作成し、前記問題を更新する問題更新工程とを備えることを特徴とする学習支援方法。
【００４２】
（付記７）前記問題作成工程が、他の１又は複数の利用者に指定された前記構成要素に基づいて前記教本にマスク及び／又はブランク及び／又は強調表示を作成することを特徴とする付記６に記載の学習支援方法。
【００４３】
（付記８）前記問題更新工程の前記正誤判断により１又は複数の前記利用者に指定された前記構成要素を解答結果として蓄積する解答結果蓄積工程をさらに有し、前記問題作成工程は、前記解答結果蓄積工程に蓄積された解答結果蓄積情報に基づいて、前記教本にマスク及び／又はブランク及び／又は強調表示を作成することを特徴とする付記６又は付記７に記載の学習支援方法。
【００４４】
（付記９）前記問題作成工程が、前記教本を意味の有する最小の言語形態である形態素に分解し、当該形態素の各々に対して前記利用者の理解度を解析し、当該理解度に応じて前記教本のマスク及び／又はブランク及び／又は強調表示の範囲を変動させることを特徴とする付記６ないし付記８に記載の学習支援方法。
【００４５】
（付記１０）前記問題更新工程が、前記問題に対して前記利用者の誤解答した前記構成要素に関する誤解答の内容を新たな前記問題として追加更新することを特徴とする付記６ないし付記９に記載の学習支援方法。
【００４６】
（付記１１）用語、解説文及び数式のいずれかを含む解説内容の構成要素から構成される教本を利用して利用者の学習を支援する学習支援プログラムにおいて、前記利用者に使用される前記教本を前記利用者に表示する表示手段、前記利用者の指定により前記構成要素の選択を行う選択手段、前記選択手段にて選択された前記構成要素に基づいて前記教本にマスク及び／又はブランクを作成し、問題を作成する問題作成手段、前記利用者の前記問題に対する解答を受け付ける解答受信手段、前記解答受信手段にて受け付けた解答に対して正誤判断を行い、当該正誤判断により誤解答と判断された前記構成要素を対象として前記教本にマスク及び／又はブランクを作成し、前記問題を更新する問題更新手段としてコンピュータを機能させることを特徴とする学習支援プログラム。
【００４７】
（付記１２）前記問題作成手段が、他の１又は複数の利用者に指定された前記構成要素に基づいて前記教本にマスク及び／又はブランク及び／又は強調表示を作成することを特徴とする付記１１に記載の学習支援プログラム。
【００４８】
（付記１３）前記問題更新手段の前記正誤判断により１又は複数の前記利用者に指定された前記構成要素を解答結果として蓄積する解答結果蓄積手段をさらに有し、前記問題作成手段は、前記解答結果蓄積手段に蓄積された解答結果蓄積情報に基づいて、前記教本にマスク及び／又はブランク及び／又は強調表示を作成することを特徴とする付記１１又は付記１２に記載の学習支援プログラム。
【００４９】
（付記１４）前記問題作成手段が、前記教本を意味の有する最小の言語形態である形態素に分解し、当該形態素の各々に対して前記利用者の理解度を解析し、当該理解度に応じて前記教本のマスク及び／又はブランク及び／又は強調表示の範囲を変動させることを特徴とする付記１１ないし付記１３に記載の学習支援プログラム。
【００５０】
（付記１５）前記問題更新手段が、前記問題に対して前記利用者の誤解答した前記構成要素に関する誤解答の内容を新たな前記問題として追加更新することを特徴とする付記１１ないし付記１４に記載の学習支援プログラム。
【図面の簡単な説明】
【００５１】
【図１】本発明の第１の実施形態に係る学習支援装置の構成を示すブロック図
【図２】本発明の第１の実施形態に係る学習支援装置のデータ例
【図３】本発明の第１の実施形態に係る学習支援装置のフローチャート
【図４】本発明の第１の実施形態に係る学習支援装置の画面遷移例
【図５】本発明の第１の実施形態に係る学習支援装置の画面例
【図６】本発明の第２の実施形態に係る学習支援装置のブロック図
【図７】本発明の第２の実施形態に係る学習支援装置のフローチャート
【図８】本発明の第２の実施形態に係る学習支援装置の画面例
【図９】本発明の第３の実施形態に係る学習支援装置のフローチャート
【図１０】本発明の第３の実施形態に係る学習支援装置の画面例
【図１１】本発明のその他の実施形態に係る学習支援装置の画面遷移例
【図１２】従来の学習支援装置のブロック図
【図１３】従来の学習支援装置のフローチャート
【図１４】従来の学習支援装置のブロック図
【図１５】従来の学習支援装置のブロック図
【図１６】従来の学習支援装置のブロック図
【符号の説明】
【００５２】
１  表示手段
１１  表示制御部
１２  表示部
２  入力情報制御演算手段
２ａ  教本情報
２ｂ  選択情報
２ｃ  解答結果蓄積情報
３  選択手段
４  問題作成手段
５  問題更新手段
５１  正誤判断部
５２  問題更新部
１００  利用者
２０１ データ処理装置
２０２ 記憶装置
２０３、２０４ 入出力装置
２１１ 学習者管理
２１２ 成績管理
２１３ 教材構造チャート
２１４ 設問選択
２１５ 設問提示
２２１ 学習者データ記憶部
２２２ 教材構造チャート記憶部
２２３ 学習履歴データ記憶部
２２４ 設問データ記憶部
３０１  マスク設定手段
３０２  解答設定手段
３０３ａ  マスク手段
３０３ｂ  回答手段
３０３ｃ  解答表示手段
４０１  主記憶部
４０２  問題補給手段
４０３  従記憶部
４０４  再補給手段
４０５  問題滞留手段
４０６  選択手段
４０７  制御手段
Ｓ１１０、Ｓ１２０  検出手段
Ｓ１３０  空白作成手段
Ｓ１３１  記憶手段
Ｓ１４０  解答欄作成手段
【図１】
2009216816.tif 000003
【図２】
2009216816.tif 000004
【図３】
2009216816.tif 000005
【図４】
2009216816.tif 000006
【図５】
2009216816.tif 000007
【図６】
2009216816.tif 000008
【図７】
2009216816.tif 000009
【図８】
2009216816.tif 000010
【図９】
2009216816.tif 000011
【図１０】
2009216816.tif 000012
【図１１】
2009216816.tif 000013
【図１２】
2009216816.tif 000014
【図１３】
2009216816.tif 000015
【図１４】
2009216816.tif 000016
【図１５】
2009216816.tif 000017
【図１６】
2009216816.tif 000018